(57)【要約】【課題】上下方向を向く家具用支杆を、ねじ止め作業等の煩雑な組み付け作業を行うことなく、梁杆に、簡単、迅速、かつ確実に装着し得るようにする。【解決手段】上下方向を向く家具用支杆２２が嵌合されて、支持されるようにした支持孔４４を有する支持ブロック４３に、左右方向を向く梁杆１４の側面に設けた長手方向を向く突条４５の上下の面に係合する上下１対の把持片４６、４７を設け、一方の把持片４６を支持ブロック４３と一体とするとともに、他方の把持片４７を支持ブロック４３に左右方向を向く軸４８をもって枢着し、かつ他方の把持片４７に、支持孔４４内に支杆２２が挿入されることにより、支杆２２に押動されて他方の把持片４７を把持位置に移動させるようにした当接部５０を設ける。【選択図】        図７
2004159797.tif 000002
【特許請求の範囲】
【請求項１】
上下方向を向く家具用支杆が嵌合されて、支持されるようにした支持孔を有する支持ブロックに、左右方向を向く梁杆の側面に設けた長手方向を向く突条の上下の面に係合する上下１対の把持片を設け、一方の把持片を前記支持ブロックと一体とするとともに、他方の把持片を前記支持ブロックに左右方向を向く軸をもって枢着し、かつ他方の把持片に、前記突条を把持する把持位置から外れた離脱位置としたとき、前記支持孔内に突入し、かつ前記支持孔内に支杆が挿入されることにより、支杆に押動されて他方の把持片を把持位置に移動させるようにした当接部を設けたことを特徴とする支杆の支持構造。
【請求項２】
突条の上面を、外側方に向かって上向き傾斜する傾斜面とし、かつそれに当接する把持片の当接部も同方向を向く傾斜面とした請求項１記載の支杆の支持構造。
【請求項３】
突条の下面を、外側方に向かって下向き傾斜する傾斜面とし、かつそれに当接する把持片の当接部も同方向を向く傾斜面とした請求項１または２記載の支杆の支持構造。
【請求項４】
上方の把持片を支持ブロックと一体とし、上方の把持片を梁杆の側面に設けた突条に係止することにより、支持ブロックを梁杆に仮保持して、その状態で支持孔に支杆を嵌合し得るようにした請求項１〜３のいずれかに記載の支杆の支持構造。
【請求項５】
支杆の下端部を、先端に向かって漸次小径となるテーパ状または半球状とした請求項１〜４のいずれかに記載の支杆の支持構造。
【請求項６】
支杆が、テーブルの天板、仕切りパネル、棚等の家具またはその一部を支持するものである請求項１〜５のいずれかに記載の家具用支杆の支持構造。
【請求項７】
左右方向を向く梁杆の前面に、開口部より奥部の上下方向の幅を大とした横向きＴ字状の係合凹溝を設け、この開口部の下縁に、上下方向を向く家具用支杆が嵌合されて、支持されるようにした支持孔を有する支持ブロックと一体的に設けた下向き鉤形の下部係止片を係止し、前記開口部の上縁に、前記支持ブロックに左右方向を向く軸をもって中間部が枢着された上部係止片の後部に設けた上向き鉤形の係止部が係合しうるようにし、前記上部係止片の前部に、前記係止部が開口部の上縁に係合した係合位置に位置しているときは、支持ブロックの支持孔と整合して、支持孔に嵌合された支杆の外周面に当接し、前記係止部が開口部の上縁から離脱した離脱位置に位置しているときは、支持ブロックの支持孔内に突入し、支持孔内に支杆が上方より挿入されることにより、支杆の下端により押動されて、係合位置に位置させられるようにした当接部を設けたことを特徴とする支杆の支持構造。
【発明の詳細な説明】
【０００１】
【発明の属する技術分野】
本発明は、左右方向を向く梁杆に、上下方向を向く家具用支杆を支持させるようにした家具用支杆の支持構造に関する。
【０００２】
【従来の技術】
従来、左右方向を向く梁杆に、上下方向を向く支杆を支持させる場合、支杆を直接、または適宜の取付金具を介して間接的にねじ止めするのが一般的である。また、梁杆に長手方向を向く溝または突条を設け、それらに係合させたクランプ部材をねじ等の締付手段により締め付けて、梁杆に固着し、上記クランプ部材に支杆を溶接したり、ねじ止めしたりすることもある。
【０００３】
【発明が解決しようとする課題】
しかし、上述のような従来の支杆の支持構造では、多くのねじ止め作業が必要であり、組み付け作業が繁雑で、時間がかかるという問題がある。
【０００４】
本発明は、従来の技術が有する上記のような問題点に鑑み、支杆を、ねじ止め作業等の煩雑な組み付け作業を行うことなく、梁杆に、簡単、迅速、かつ確実に装着し得るようにした家具用支杆の支持構造を提供することを目的としている。
【０００５】
【課題を解決するための手段】
本発明によると、上記課題は、次のようにして解決される。
（１）  上下方向を向く家具用支杆が嵌合されて、支持されるようにした支持孔を有する支持ブロックに、左右方向を向く梁杆の側面に設けた長手方向を向く突条の上下の面に係合する上下１対の把持片を設け、一方の把持片を前記支持ブロックと一体とするとともに、他方の把持片を前記支持ブロックに左右方向を向く軸をもって枢着し、かつ他方の把持片に、前記突条を把持する把持位置から外れた離脱位置としたとき、前記支持孔内に突入し、かつ前記支持孔内に支杆が挿入されることにより、支杆に押動されて他方の把持片を把持位置に移動させるようにした当接部を設ける。
【０００６】
（２）  上記（１）項において、突条の上面を、外側方に向かって上向き傾斜する傾斜面とし、かつそれに当接する把持片の当接部も同方向を向く傾斜面とする。
【０００７】
（３）  上記（１）または（２）項において、突条の下面を、外側方に向かって下向き傾斜する傾斜面とし、かつそれに当接する把持片の当接部も同方向を向く傾斜面とする。
【０００８】
（４）  上記（１）〜（３）項のいずれかにおいて、上方の把持片を支持ブロックと一体とし、上方の把持片を梁杆の側面に設けた突条に係止することにより、支持ブロックを梁杆に仮保持して、その状態で支持孔に支杆を嵌合し得るようにする。
【０００９】
（５）  上記（１）〜（４）項のいずれかにおいて、支杆の下端部を、先端に向かって漸次小径となるテーパ状または半球状とする。
【００１０】
（６）  上記（１）〜（５）項のいずれかにおいて、支杆が、テーブルの天板、仕切りパネル、棚等の家具またはその一部を支持するものとする。
【００１１】
（７）  左右方向を向く梁杆の前面に、開口部より奥部の上下方向の幅を大とした横向きＴ字状の係合凹溝を設け、この開口部の下縁に、上下方向を向く家具用支杆が嵌合されて、支持されるようにした支持孔を有する支持ブロックと一体的に設けた下向き鉤形の下部係止片を係止し、前記開口部の上縁に、前記支持ブロックに左右方向を向く軸をもって中間部が枢着された上部係止片の後部に設けた上向き鉤形の係止部が係合しうるようにし、前記上部係止片の前部に、前記係止部（６５）が開口部の上縁に係合した係合位置に位置しているときは、支持ブロックの支持孔と整合して、支持孔に嵌合された支杆の外周面に当接し、前記係止部が開口部の上縁から離脱した離脱位置に位置しているときは、支持ブロックの支持孔（６６）内に突入し、支持孔内に支杆が上方より挿入されることにより、支杆の下端により押動されて、係合位置に位置させられるようにした当接部を設ける。
【００１２】
【発明の実施の形態】
以下、本発明の一実施形態を、添付図面を参照して説明する。
図１は、本発明の一実施形態を備えるワークステーション装置の一例を示す。
【００１３】
この例では、ワークステーション装置は、床上に直列に設けた同一構成の４組の横長の支持ユニット（Ａ１）〜（Ａ４）に、各々がワークステーション構成要素をなす４種類のテーブル（机を含む）（１）（２）（３）（４）、２種類の仕切りパネル（５）（６）、及び２種類の棚（７）（８）（この棚（７）（８）だけは、支持ユニット（Ａ）から分離して示してある）を装着して構成されている。
【００１４】
図２は、１単位の支持ユニット（Ａ）を示し、任意の単位を横方向に直列に連結することにより、所望に応じた長さとすることができるようになっている。
【００１５】
図２に示すように、１単位の支持ユニット（Ａ）は、左右１対の支持脚（９）（９）と、それらの上部の対向面間に支持された左右方向に長い基杆（１０）とを備えている。
【００１６】
図２及び図３に示すように、基杆（１０）は、左右１対の支持脚（９）（９）の上部の対向面に固着された側面視ほぼＹ字状をなす左右１対の支杆（１１）（１１）と、その上端前後部に両端が固着された左右方向を向く前後１対のサイドビーム（１２）（１２）と、側面視上向きコ字状をなし、前後の起立片（１３ａ）（１３ａ）が前後のサイドビーム（１２）（１２）の内側面に固着された左右方向を向くほぼ水平の受支板（１３）と、受支板（１３）の中央部の下方にそれと平行をなすようにして配設され、かつ左右の両端が、両支杆（１１）（１１）の下部中央に固着された梁杆（１４）と、梁杆（１４）の長手方向の適所の上面に設けられ、かつ上端で受支板（１３）を支持する１個または複数個の起立板（１５）とを備えている。
【００１７】
受支板（１３）の中央部と前後の両側部とには、脚杆支持部をなす多数の嵌合孔（１６）が、長手方向に３列として、かつ中央のものより両側部のものの方の間隔を密として、並べて設けられている。
各嵌合孔（１６）は、図５にその１個のみを拡大して示すように、円形の孔の左右の縁に、所要幅の方形の凹入部（１６ａ）を設けた形状としてある。
【００１８】
図６及び図７に示すように、梁杆（１４）は、側面視幅広Ｉ形をなす角筒状のもので、その上面中央には、開口部（１７ａ）より下部（１７ｂ）の前後幅を大とした倒立Ｔ字状の係合溝（１７）が、前後の両側面には、底面を外方に向かって上向き傾斜する傾斜面（１８ａ）とした係合凹溝（１８）が、また下面の前後両側部には、倒立台形状の下向き突条（１９）（１９）が、それぞれ長手方向に連続するように設けられている。前後に対向する下向き突条（１９）（１９）の対向面は、外方に向かって下向き傾斜する傾斜面（１９ａ）としてある。
【００１９】
図１及び図２に示すように、各支持ユニット（Ａ）は、前後のサイドビーム（１２）（１２）に上端部が係止され、各基杆（１０）の前後面を覆うサイドカバー（２０）（２０）と、最も外側の支持脚（９）の外側面に着脱自在に装着され、支持ユニット（Ａ）の左右の端面を覆うエンドカバー（２１）とを備えている。なお、支持ユニット（Ａ）における中間部の支持脚（９）の左右の両側面には、互いに隣接する基杆（１０）の支杆（１１）が固着され、エンドカバー（２１）は設けられていない。
【００２０】
支持ユニット（Ａ）における受支板（１３）の上方の空間と、その下方における前後のサイドカバー（２０）（２０）により囲まれた空間とは、各種の電気機器への給電線、信号線、コネクタケーブル等の配線用の配線ダクトとなっている。
【００２１】
ワークステーション構成要素（１）〜（８）のそれぞれは、受支板（１３）におけるいずれかの嵌合孔（１６）に嵌合しうる少なくとも１本の垂直の係合用脚杆（支杆）（２２）を備えている。
【００２２】
詳言すると、図１における右端の支持ユニット（Ａ４）の右端のテーブル（１）及び右から２番目の支持ユニット（Ａ３）の左端のテーブル（１）においては、図４に示すように、左右側面に複数の係合孔（２３）が上下方向に並べて設けられ、かつ上端に前後方向を向く水平杆（２４）を有する左右２本の脚杆（２２）（２２）と、この脚杆（２２）より前後方向に離間し、かつ上下方向の長さ調節手段（図示略）を有するとともに、上端に左右方向の張り出し部（２５ａ）（２５ａ）を有する１個の接床用脚杆（２５）とにより、前後方向に長い天板（２６）が支持されている。
【００２３】
左右のテーブル（１）（１）の間において、支持ユニット（Ａ３）（Ａ４）の後側に位置するテーブル（２）においては、上記と同様の係合孔（２３）及び水平杆（２４）が設けられた２本の脚杆（２２）（２２）と、長さ調節手段（図示略）を有する２本の接床用脚杆（２７）とにより、左右方向に長い天板（２８）が支持されている。
【００２４】
左右のテーブル（１）（１）の間において、支持ユニット（Ａ３）（Ａ４）の前側に位置するテーブル（３）においては、上記と同様の係合孔（２３）及び水平杆（２４）が設けられた３本の脚杆（２２）のみにより、前後幅が狭く、かつ左右方向に長い天板（２９）が片持ち支持されている。
【００２５】
左端とその右に並ぶ支持ユニット（Ａ１）（Ａ２）にまたがって設けられているテーブル（４）においては、図１に示すように、上記と同様の係合孔（２３）及び水平杆（２４）が設けられた２本の脚杆（２２）（２２）（図１には図示されていない）と、長さ調節手段（図示略）を有する１本の接床用の脚杆（２７）とにより、平面視三角形または半円弧状の前後の天板（３０）（３０）が支持されている。
【００２６】
嵌合孔（１６）に嵌合する脚杆（２２）は、接床用の脚杆（２５）（２７）より短くしてある。また、各係合孔（２３）は、上下方向に長い長円形としてある（図６及び図７参照）
【００２７】
図１に示すように、左右方向を向く垂直の仕切りパネル（５）の左右の側端部下面には、上述したのと同様の係合孔（２３）を両側面に設けた垂直の脚杆（２２）が設けられている。
【００２８】
また、前後方向を向く垂直の仕切りパネル（６）の前後の側端部下面には、上述したのと同様の係合孔（２３）を両側面に設けた脚杆（２２）と、それより長寸とした接床用の脚杆（３１）とが、前後に１対として設けられている。
【００２９】
棚（７）の後部下端には、上部に拡径鍔部（３２）を有する左右１対の垂直の脚杆（２２）（２２）が設けられている。
棚（８）の後部下端には、上部が前後方向を向く水平杆（３３）の後端に固着された左右１対の垂直の脚杆（２２）が、また脚杆（２２）より前方において、棚（８）の下端部には、脚杆（２２）より長寸の左右１対の接床用の脚杆（３４）が、それぞれ設けられている。
【００３０】
次に、図４〜図１０を参照して、支持ユニット（Ａ）への各ワークステーション構成要素（１）〜（８）の取付構造について説明する。
【００３１】
図４〜図８に示すように、テーブル（１）（テーブル（２）〜（４）においても同じ）の脚杆（２２）は、互いに向き合わせて合体させることにより、上端部に拡径フランジ（３５）を備える上下方向を向くスリーブ（３６）を形成するようにした１対のほぼ半円筒状のスリーブ分割片（３６ａ）（３６ａ）の内面に、脚杆（２２）の複数の係合孔（２３）に選択的に係合しうるようにした上下２個の突部（３７）（３７）を設け、この突部（３７）（３７）が所望の係合孔（２３）（２３）に嵌合するようにして、両スリーブ分割片（３６ａ）（３６ａ）により脚杆（２２）を両側方より挟み、両スリーブ分割片（３６ａ）（３６ａ）を脚杆（２２）の外周において合体させて形成したスリーブ（３６）を、筒体（３８）に外嵌し、かつ筒体（３８）の下部に設けた縮径段部（３８ａ）を、受支板（１３）に穿設した両側部の列の多数の嵌合孔（１６）の所望のものに嵌合することにより、受支板（１３）上に起立状態で支持されている。
【００３２】
スリーブ（３６）の拡径フランジ（３５）は、その外周部を下方に向かって折り返すことにより、下面の内側に上向きの環状溝（３９）が形成され、この環状溝（３９）に筒体（３８）の上端に設けた上向きの環状突条（４０）を嵌合することにより、両スリーブ分割片（３６ａ）（３６ａ）の相互の位置ずれやがたつきが防止されるようになっている。
【００３３】
図７及び図８に示すように、筒体（３８）における縮径段部（３８ａ）の外周面の左右の両側部には、筒体（３８）の円周方向の幅を嵌合孔（１６）の凹入部（１６ａ）の幅より小とした水平板状の突部（４１）が形成されている。この突部（４１）の上面両側部には、緩やかな外方下向きの傾斜面（４１ａ）（４１ａ）が形成されている。
【００３４】
筒体（３８）における縮径段部（３８ａ）より上方の拡径鍔部（３８ｂ）の下面における突部（４１）と対向する部分には、突部（４１）の上面とほぼ補形をなす凹部（４２）が形成されている。
筒体（３８）における拡径鍔部（３８ｂ）の下面と突部（４１）の上面との間隔は、受支板（１３）の板厚とほぼ同一か、またはそれより若干小としておくのが好ましい。
【００３５】
したがって、両突部（４１）（４１）が凹入部（１６ａ）（１６ａ）を挿通するようにして、筒体（３８）の縮径段部（３８ａ）を、拡径鍔部（３８ｂ）の下端が受支板（１３）の上面に当接するまで嵌合孔（１６）に嵌合し、次いで、筒体（３８）を、各突部（４１）が凹入部（１６ａ）から外れるまで、好ましくは、ほぼ９０°中心軸線回りに回転させることにより、筒体（３８）における拡径鍔部（３８ｂ）の下面と突部（４１）の上面との間隙内に受支板（１３）がきつ目に挟み込まれ、筒体（３８）は受支板（１３）から外れ止めされる。このとき、各突部（４１）が若干弾性撓曲しうるように、筒体（３８）全体、または少なくとも各突部（４１）を、弾性変形可能な合成樹脂材料により形成しておくのがよい。
【００３６】
また、脚杆（２２）は、そのいずれかの係合孔（２３）にスリーブ分割片（３６ａ）（３６ａ）の上下２個の突部（３７）（３７）が嵌合し、そのスリーブ分割片（３６ａ）（３６ａ）によって形成されたスリーブ（３６）の拡径フランジ（３５）が、受支板（１３）に強固に支持され、かつ外れ止めされた筒体（３８）の環状突条（４０）に係合することにより、受支板（１３）上に強固に支持される。
【００３７】
図４〜図７、特に図７に示すように、脚杆（２２）の下部は、受支板（１３）より下方において、支持ブロック（４３）に設けられた支持孔（４４）に挿入されている。
【００３８】
支持ブロック（４３）には、梁杆（１４）における係合凹溝（１８）より下方の部分と下向き突条（１９）とによって形成された、断面形があり形の突条（４５）の上下の面に係合する上下１対の把持片（４６）（４７）が設けられている。
【００３９】
上方の把持片（４６）は、支持ブロック（４３）と一体的に形成され、支持ブロック（４３）の後面より後下方に向かって延出し、梁杆（１４）における係合凹溝（１８）に係合しうるとともに、突条（４５）の上面である傾斜面（１８ａ）と当接する下面（当接部）を、傾斜面（１８ａ）と同方向を向く傾斜面（４６ａ）としてある。
【００４０】
下方の把持片（４７）は、前後方向の中間部の上部が左右方向を向く軸（４８）をもって、支持ブロック（４３）に枢着され、後部に梁杆（１４）における下向き突条（１９）の下面、すなわち、突条（４５）の下面に係合する上向きのフック部（４９）を備え、かつ前部に、フック部（４９）が突条（４５）の下面に係合する図７に実線で示す把持位置に位置しているときは、支持ブロック（４３）の支持孔（４４）と整合して、支持孔（４４）に嵌合された脚杆（２２）の外周面に当接し、図７に想像線で示すように、フック部（４９）が突条（４５）の下面から下方に外れた離脱位置のときは、支持ブロック（４３）の支持孔（４４）内に突入し（このとき支持孔（４４）内に脚杆（２２）が嵌入されていないことが前提となる）、支持孔（４４）内に脚杆（２２）が上方より挿入されることにより、脚杆（２２）の下端により押動されて、把持位置に位置させられるようにした当接部（５０）を備えている。
【００４１】
脚杆（２２）の下端部は、支持孔（４４）内に挿入したときの下方の把持片（４７）の当接部（５０）の押動を円滑にするため、図６に示すような半球状、または先端に向かって漸次小径となるテーパ状とするのが好ましい。
【００４２】
テーブル（１）における左右１対の脚杆（２２）（２２）を、上述のようにして、受支板（１３）と梁杆（１４）との上下２箇所で強固に支持し、かつ脚杆（２５）の長さを、床から各脚杆（２２）の上端までの高さに合わせて調節した後、両脚杆（２２）（２２）の上端に固着した水平杆（２４）（２４）と脚杆（２５）の上端とに、天板（２６）の前後の端部を載置して固定することにより、天板（２６）の後部（または前部）は、支持ユニット（Ａ）に強固に支持され、また天板（２６）の前部（または後部）は、接床する脚杆（２５）により簡易に支持され、支持ユニット（Ａ）に掛かる天板（２６）の荷重は半減させられる。
【００４３】
他のテーブル（２）〜（４）も、同様にして（テーブル（３）は、接床用の脚杆（２５）を用いることなく、３本の脚杆（２２）のみで、天板（２９）を片持ち支持するようにして）、支持ユニット（Ａ）に集中して支持させることができる。
【００４４】
仕切りパネル（６）は、テーブル（１）等の支持と同様に、スリーブ分割片（３６ａ）（３６ａ）と筒体（３８）とを用いて、その脚杆（２２）を受支板（１３）における側部の嵌合孔（１６）に嵌合するとともに、脚杆（２２）の下部を、梁杆（１４）の最適位置に装着した支持ブロック（４３）の支持孔（４４）に嵌合することにより、脚杆（２２）を支持ユニット（Ａ）に強固に支持させ、かつ他方の脚杆（３１）を接床させることにより、荷重を支持ユニット（Ａ）と床とに分散させるようにして、支持ユニット（Ａ）に強固に支持されている。
【００４５】
脚杆（２２）は、受支板（１３）及び支持ブロック（４３）に対して、その中心軸線回りに回転可能であるので、仕切りパネル（６）は、脚杆（２２）を中心として、平面視における向きを自由に変更することができる。
【００４６】
また、図１に示すように、前後１対の仕切りパネル（６）（６）における各脚杆（２２）の前方のものを、受支板（１３）における前列の嵌合孔（１６）に、同じく後方のものを、後列の嵌合孔（１６）に、それぞれ嵌合することにより、支持ユニット（Ａ）における長手方向の同一個所に、前後１対の仕切りパネル（６）（６）を、支持ユニット（Ａ）から前後両方向に向かって延出させて配設することができる。
【００４７】
さらに、受支板（１３）における中央の列の嵌合孔（１６）を利用して、仕切りパネル（５）を、後述するように、支持ユニット（Ａ）の長手方向に向けて支持させることにより、多数の仕切りパネル（５）（６）を、支持ユニット（Ａ）のほぼ同一部位に、平面視Ｌ字状、Ｔ字状、または十字状等に交差するようにして、強固に支持させることができる。
【００４８】
仕切りパネル（５）における両側部の脚杆（２２）は、図６及び図７に示すように、上述したのと同様のスリーブ分割片（３６ａ）（３６ａ）及び筒体（３８）を用いて、受支板（１３）における中央の列の任意の嵌合孔（１６）に嵌合し、かつ下端部を、梁杆（１４）の上面に、着脱自在かつ長手方向に摺動自在に装着した支持ブロック（５１）に設けた支持孔（５２）に嵌合して、上下２箇所で支持ユニット（Ａ）に強固に支持されている。
【００４９】
図９及び図１０に示すように、支持ブロック（５１）は、内面を支持孔（５２）とした筒体（５３）の下端に円形の鍔部（５４）が設けられ、鍔部（５４）の下面中央に、円形の頸部（５５）を介して、底面形をほぼ長円形とした係合板（５６）が連設されたものとしてある。
筒体（５３）の外周面と鍔部（５４）の上面との間には、複数の補強用のリブ（５７）が設けられている。
【００５０】
頸部（５５）の直径と、係合板（５６）の短軸方向の幅とは、梁杆（１４）の上面に形成された係合溝（１７）の開口部（１７ａ）の幅より小とし、係合板（５６）の長軸方向の長さは、係合溝（１７）の開口部（１７ａ）の幅より大で、好ましくは係合溝（１７）の下部（１７ｂ）の幅とほぼ等しくするのがよい。
【００５１】
したがって、支持ブロック（５１）は、脚杆（２２）を嵌合しようとする中央の列の嵌合孔（１６）のほぼ真下の位置において、係合板（５６）の長手方向が梁杆（１４）の長手方向を向くようにして、係合板（５６）を係合溝（１７）の開口部（１７ａ）より下部（１７ｂ）まで嵌合し、次いで、筒体（５３）の中心軸線回りにほぼ９０°回転させて、係合板（５６）の両端部を係合溝（１７）の下部（１７ｂ）の両側部に係合させることにより、梁杆（１４）に簡単に装着することができる。
また、支持ブロック（５１）は、そのままの状態か、または上述と逆の方向に若干回転させて、梁杆（１４）の長手方向に摺動させることにより、支持孔（５２）が所望の嵌合孔（１６）の真下に位置するように、容易に位置調整することができる。
【００５２】
仕切りパネル（５）は、その両側部の脚杆（２２）（２２）を、上述のようにして、上下２箇所で支持ユニット（Ａ）に支持させることにより、特に前後方向に傾倒しないように強固に支持される。
【００５３】
棚（７）は、その脚杆（２２）を、拡径鍔部（３２）が受支板（１３）に当接するまで、前後及び中央のいずれかの列の任意の嵌合孔（１６）に嵌合し、かつ必要に応じて、脚杆（２２）の下端部を、支持ブロック（４３）の支持孔（４４）、または支持ブロック（５１）の支持孔（５２）に嵌合することにより、支持ユニット（Ａ）に簡単に、かつ強固に支持させることができる。
【００５４】
棚（８）は、水平杆（３３）が支持ユニット（Ａ）のサイドビーム（１２）に当接するようにして、その脚杆（２２）を、棚（７）におけるのと同様にして、支持ユニット（Ａ）の任意の嵌合孔（１６）に嵌合して支持させ、かつ脚杆（３４）を接床させることにより、荷重の大部分を脚杆（３４）とサイドビーム（１２）とにより支承させ、しかも脚杆（２２）により、支持ユニット（Ａ）に対して移動不能として連結することができる。
【００５５】
なお、仕切りパネル（５）（６）や、テーブル（１）〜（４）のうち、高さ調節が必要ないものについては、各脚杆（２２）に係合孔（２３）を設ける代わりに、棚（７）における脚杆（２２）に設けたのと同様の拡径鍔部（３２）を設け、その下端を受支板（１３）の上面に当接させるようにしてもよい。
【００５６】
また、本発明のワークステーション構成要素は、上述のもののみに限定されるものではなく、形状や構造及び機能の異なる各種のものを組み込むことができる。
【００５７】
さらに、本発明は、上記実施形態のみに限定されるものではなく、幾多の変形した態様で実施することができる。
例えば、下方の把持片を、支持ブロックと一体的に形成し、上方の把持片を、図７における下方の把持片（６０）と同様に、中間部を左右方向を向く軸をもって、支持ブロックに枢着し、前部の当接部が支持孔内に挿入された支杆により押動されることによって、後端部が梁杆（１４）の係合凹溝（１８）内に突入して、後端部下面が係合凹溝（１８）の底面と当接し、上下の把持片で、梁杆（１４）の突条（４５）を上下から把持するようにしてもよい。
【００５８】
また、図１１に示すように、左右方向を向く梁杆（１４）の側面（前面）に、開口部（６０ａ）より奥部（６０ｂ）の上下方向の幅を大とした横向きＴ字状の係合凹溝（６０）を設け、この開口部（６０ａ）の下縁に、支持ブロック（６１）と一体的に設けた下向き鉤形の下部係止片（６２）を係止し、また開口部（６０ａ）の上縁に、支持ブロック（６１）に左右方向を向く軸（６３）をもって中間部が枢着された上部係止片（６４）の後部に設けた上向き鉤形の係止部（６５）が係合しうるようにし、上部係止片（６３）の前部に、係止部（６５）が開口部（６０ａ）の上縁に係合した図１１に実線で示す係合位置に位置しているときは、支持ブロック（６１）の支持孔（６６）と整合して、支持孔（６６）に嵌合された脚杆（支杆）（２２）の外周面に当接し、図１１に想像線で示すように、係止部（６５）が開口部（６０ａ）の上縁から離脱した離脱位置に位置しているときは、支持ブロック（６１）の支持孔（６６）内に突入し（このとき支持孔（６６）内に脚杆（２２）が嵌入されていないことが前提となる）、支持孔（６６）内に脚杆（２２）が上方より挿入されることにより、脚杆（２２）の下端により押動されて、係合位置に位置させられるようにした当接部（６７）を設けても、上記実施形態におけるのと同様の効果を奏することができる。
【００５９】
さらに、図１１に示すように、支持ブロック（６１）の支持孔（６６）を有底孔とすると、ここに嵌合した脚杆（２２）の全荷重を支持ブロック（６１）で受けることができる。
【００６０】
【発明の効果】
請求項１記載の発明によると、支持ブロックと一体とした把持片を、梁杆の側面に設けた突条の上下いずれかの面に当接させた状態で、支持ブロックの支持孔に支杆を挿入すると、そのときの支杆の先端部により、他方の把持片が把持位置に押動され、両把持片により、梁杆の突条を把持して、支杆を梁杆に強固に支持することができるとともに、支持孔に挿入された支杆によって、他方の把持片が把持位置から離脱位置に移動するのが阻止されるので安全である。
すなわち、支杆を、ねじ止め作業等の煩雑な組み付け作業を行うことなく、梁杆に、簡単、迅速、かつ確実に装着することができる。
【００６１】
請求項２記載の発明によると、上方の把持片を梁杆の突条の上面に係止することにより、支持ブロックを梁杆に仮保持しておくことができる。
【００６２】
請求項３記載の発明によると、両把持片で突条を把持したとき、両把持片が突条から外れることがなくなり、安全である。
【００６３】
請求項４記載の発明によると、上方の把持片を梁杆の突条の上面に係止することにより、支持ブロックを梁杆に仮保持しておくことができ、この状態で、支持ブロックの支持孔に支杆を容易に挿入することができ、組み付け作業が楽になる。
【００６４】
請求項５記載の発明によると、支杆を支持孔に挿入する際、支杆の先端で、可動側の把持片の当接部を円滑に押動することができる。
【００６５】
請求項６記載の発明によると、支杆により、テーブルの天板、仕切りパネル、棚等の各種のものを支持させることができる。
【００６６】
請求項７記載の発明によると、請求項１記載の発明と同様の作用及び効果を奏することができる。
【図面の簡単な説明】
【図１】本発明の一実施形態を備えるワークステーション装置の外観斜視図である。
【図２】同じく、支持ユニットの分解斜視図である。
【図３】同じく、支持ユニットの基杆の分解斜視図である。
【図４】同じく、支持ユニットに各種のテーブルを装着する状況を示す分解斜視図である。
【図５】同じく、要部の拡大分解斜視図である。
【図６】同じく、要部の縦断側面図である。
【図７】同じく、要部の拡大縦断側面図である。
【図８】同じく、筒体の正面図である。
【図９】同じく、支持ブロックの正面図である。
【図１０】同じく、支持ブロックの底面図である。
【図１１】支持ブロックの変形例を示す縦断側面図である。
【符号の説明】
（Ａ）（Ａ１）〜（Ａ４）支持ユニット
（１）（２）（３）（４）テーブル（ワークステーション構成要素）
（５）（６）仕切りパネル（ワークステーション構成要素）
（７）（８）棚（ワークステーション構成要素）
（９）支持脚
（１０）基杆
（１１）支杆
（１２）サイドビーム
（１３）受支板（配線ダクト）
（１３ａ）起立片
（１４）梁杆
（１５）起立板
（１６）嵌合孔（脚杆支持部）
（１６ａ）凹入部
（１７）係合溝
（１７ａ）開口部
（１７ｂ）下部
（１８）係合凹溝
（１８ａ）傾斜面
（１９）下向き突条
（１９ａ）傾斜面
（２０）サイドカバー
（２１）エンドカバー
（２２）係合用脚杆（支杆）
（２３）係合孔
（２４）水平杆
（２５）接床用脚杆
（２５ａ）張り出し部
（２６）天板
（２７）接床用脚杆
（２８）（２９）（３０）天板
（３１）接床用脚杆
（３２）拡径鍔部
（３３）水平杆
（３４）接床用脚杆
（３５）拡径フランジ
（３６）スリーブ
（３６ａ）スリーブ分割片
（３７）突部
（３８）筒体
（３８ａ）縮径段部
（３８ｂ）拡径鍔部
（３９）環状溝
（４０）環状突条
（４１）突部
（４２）凹部
（４３）支持ブロック
（４４）支持孔
（４５）突条
（４６）（４７）把持片
（４６ａ）傾斜面
（４８）軸
（４９）フック部
（５０）当接部
（５１）支持ブロック
（５２）支持孔
（５３）筒体
（５４）鍔部
（５５）頸部
（５６）係合板
（５７）リブ
（６０）係合凹溝
（６０ａ）開口部
（６０ｂ）奥部
（６１）支持ブロック
（６２）下部係止片
（６３）軸
（６４）上部係止片
（６５）係止部
（６６）支持孔
（６７）当接部
【図１】
2004159797.tif 000003
【図２】
2004159797.tif 000004
【図３】
2004159797.tif 000005
【図４】
2004159797.tif 000006
【図５】
2004159797.tif 000007
【図６】
2004159797.tif 000008
【図７】
2004159797.tif 000009
【図８】
2004159797.tif 000010
【図９】
2004159797.tif 000011
【図１０】
2004159797.tif 000012
【図１１】
2004159797.tif 000013